(57)【特許請求の範囲】
【請求項１】
排水の流出口をなす管口を斜に傾斜させると共に、該管口の傾斜面上端側に設けた支軸に揺動自在に支持され、前記管口に下側より接離し該管口を開閉可能な揺動弁体、及び、該弁体を閉鎖方向に付勢するバランスウエイトより構成された排水用トラップにおいて、前記管口の揺動弁体との接触部分の内周縁に沿って、揺動弁体と非接触の間隙を形成する段部を設けたことを特徴とする排水用トラップ。
【請求項２】
排水の流出口をなす管口を斜に傾斜させると共に、該管口の傾斜面上端側に設けた支軸に揺動自在に支持され、前記管口に下側より接離し該管口を開閉可能な揺動弁体、及び、該弁体を閉鎖方向に付勢するバランスウエイトより構成された排水用トラップにおいて、前記管口端面に沿って頂部が弁体と線接触する突条を設け、該突条の頂部を揺動弁体との線接触部分とすると共に、該突条の内周縁に沿って、揺動弁体と非接触の間隙を形成する段部を設けたことを特徴とする排水用トラップ。
【発明の詳細な説明】
【０００１】
【発明の属する技術分野】
本発明は排水用トラップに関する。
【０００２】
【従来の技術】
従来、排水管には出口側からの悪臭や害虫等の侵入を防止する目的でＳ字トラップが設けられていた。このＳ字トラップは排水管の折曲部分に溜った排水によって悪臭や害虫等の侵入を防止するためのものであるため、折曲部分に固形物等が詰まり易く、また、折曲部分に溜った排水自体から悪臭が発生する問題を有していた。
【０００３】
そこで、本出願人は、管口を開閉可能な揺動弁体にバランスウエイトを設け、排水が無い時はバランスウエイトによって該弁体で管口を閉鎖すると共に、排水時には該排水の重量或いは流水圧で弁体を開き、排水を流下させる弁トラップを開発した。この弁トラップは、トラップ内にバランスウエイトの重量に見合った少量の排水が残留することで封水作用が得られるが、残留排水が減少した際には弁体の揺動軸側に隙間ができ、空調機や換気扇の使用で室内が陰圧になる場合に前記隙間から下流側の空気が吸入される問題が有った。特に、排水管が下水管に通じている場合には外気の吸入に伴い悪臭が発生する問題が有った。
【０００４】
【発明が解決しようとする課題】
本発明は従来の技術の上記の点に鑑みて、残留排水が減少した場合にも封鎖性が良好で、外気の吸入やそれに伴う悪臭の発生を抑制できる排水用トラップを提供することを目的としてなされたものである。
【０００５】
【課題を解決するための手段】
上記目的を達成するために、排水の流出口をなす管口を斜に傾斜させると共に、該管口の傾斜面上端側に設けた支軸に揺動自在に支持され、前記管口に下側より接離し該管口を開閉可能な揺動弁体、及び、該弁体を閉鎖方向に付勢するバランスウエイトより構成された排水用トラップにおいて、前記管口の揺動弁体との接触部分の内周縁に沿って、揺動弁体と非接触の間隙を形成する段部を設けた。また、排水の流出口をなす管口を斜に傾斜させると共に、該管口の傾斜面上端側に設けた支軸に揺動自在に支持され、前記管口に下側より接離し該管口を開閉可能な揺動弁体、及び、該弁体を閉鎖方向に付勢するバランスウエイトより構成された排水用トラップにおいて、前記管口端面に沿って頂部が弁体と線接触する突条を設け、該突条の頂部を揺動弁体との線接触部分とすると共に、該突条の内周縁に沿って、揺動弁体と非接触の間隙を形成する段部を設けた。
【０００６】
【発明の実施の形態】
図１乃至図５に本発明第１実施形態の排水用トラップ１を示す。図１において、排水用トラップ１は、排水管２の終端部に設けられ、排水管接続部３、該排水管接続部３に連なる短円筒の下半分を斜（約３０°）に切除した形状をなす管体４、該管体４の傾斜した管口５を開閉する弁体６、該弁体６を閉鎖方向に付勢するバランスウエイト７より主に構成されている。
【０００７】
管口５には、前記傾斜の上端側約１／３（開口面積比にして約１／４）に相当する弓形部分に張出片８を形成し、且つ、張出片８を形成した部分の両側外方には、下方に突出した一対からなる支腕９を設けると共に、該支腕９間に渡設した支軸１０に弁体６は揺動自在に支持されている。
【０００８】
弁体６は、管口５と同形状の略楕円形状をなす弁主体部６ａとそれに連なる錘保持部６ｂとで構成され、該錘保持部６ｂは弁主体部６ａに対して屈折して連設され、屈折部分には前記支軸１０を挿通する軸受部６ｃを形成している。
【０００９】
そして、図２（ａ）及び（ｂ）に示すように、上記管口５の端面に沿って突条１１を設け、該突条１１の頂部が弁体６と線接触するようにしている。また、突条１１の内周縁に沿って、段部１２を設け、弁体６の閉鎖状態において弁体６と管口５との間に非接触の間隙が形成されるようにしてある。
【００１０】
以上の如く構成された排水用トラップ１は、排水が存在しない場合には、図１に実線に示す如くバランスウエイト７の重量によって弁体６が図中時計回り方向に付勢されて管口５に近接し、該管口５に設けた突条１１に当接し、弁体６と突条１１の頂部とは線接触している。
【００１１】
そして、排水時、排水量が多い場合は、流水圧によって弁体６がバランスウエイト７の付勢力に抗して押し下げられ、直接下方に排水されるが、排水量が少ない場合には、図５に示す如く、バランスウエイト７により弁体６の開口量は小さく抑えられ、管体４内に一定量の排水Ｄが滞留することにより封水状態を保持しつつ排水が流出する。
【００１２】
排水が停止すると、当初は管体４内にはバランスウエイト７の重量に見合った少量の排水Ｄが残留しているが、この残留排水Ｄは徐々に減少する。しかし、本発明の排水用トラップ１では、管口５の内周縁に沿って、段部１２による非接触の間隙が形成されているため、減水時には該間隙（１２）に沿って毛細管現象により残留排水Ｄの水面以上まで排水が上昇し、該残留排水によって封鎖状態が保持される。このため、空調機や換気扇の使用で室内が陰圧になる場合にも下流側の空気が吸入され難く、排水管が下水管に通じている場合にも悪臭の発生を抑制することができる。
【００１３】
また、管口５の端面に沿って設けた突条１１の頂部が弁体６と線接触するので、排水の粘度が大きく、ぬめりが多いような劣悪な使用条件下でも弁体６と管口５の密着を阻止でき、弁体６の開閉性が常に良好に保たれ、且つ、非排水時の閉鎖性も良好であり、悪臭や害虫等の侵入を確実に防止できる。
【００１４】
尚、上記第１実施形態の排水用トラップ１では、管口５の端面に沿って突条１１を設け、該突条１１の内周縁に沿って段部１２を設ける場合を示したが、図６に示す第２実施形態のように、管口５の端面の内周縁に沿って段部１２のみを形成し、管口５の端面と弁体６とが面接触するようにすることもできる。
【００１５】
また、前記第１実施形態では排水管２の終端部に排水用トラップ１を接続する場合を示したが、排水管の始端部や中間部に排水用トラップ１を設けることもでき、排水管の中間部に排水用トラップ１を設ける場合には、上下に排水管接続部を有する筒状のケーシング内に排水用トラップ１を収容するか、一体に設けるようにする。
【００１６】
【発明の効果】
本発明排水用トラップは、上述の通り、排水の流出口をなす管口を斜に傾斜させると共に、該管口の傾斜面上端側に設けた揺動軸に揺動自在に支持され、前記管口に下側より接離し該管口を開閉可能な揺動弁体、及び、該弁体を閉鎖方向に付勢するバランスウエイトより構成された排水用トラップにおいて、前記管口の揺動弁体との接触部分の内周縁に沿って、揺動弁体と非接触の間隙を形成する段部を設けたので、残留排水が減少した場合にも封鎖性が良好で、外気の吸入やそれに伴う悪臭の発生を抑制できる。
【００１７】
また、上記排水用トラップにおいて、前記管口端面に沿って突条を設け、該突条の頂部を揺動弁体との接触部分とすると共に、該突条の内周縁に沿って、揺動弁体と非接触の間隙を形成する段部を設けたので、残留排水が減少した場合にも封鎖性が良好で、外気の吸入やそれに伴う悪臭の発生を抑制できることに加えて、排水の粘度が大きく、ぬめりが多いような劣悪な使用条件下でも弁体と管口の密着を阻止でき、弁体の開閉性が常に良好に保たれる。
【図面の簡単な説明】
【図１】本発明第１実施形態の排水用トラップを示す側断面図である。
【図２】（ａ）は本発明第１実施形態の排水用トラップの閉鎖状態を示す図１のＡ部拡大側断面図、（ｂ）は少し開放した状態を示す図１のＡ部拡大側断面図である。
【図３】本発明第１実施形態の排水用トラップの開放状態を示す側断面図である。
【図４】本発明第１実施形態の排水用トラップの弁体を外し上下反転させた状態での管口部を示す斜視図である。
【図５】本発明第１実施形態の排水用トラップの排水状態を示す側断面図である。
【図６】本発明第２実施形態の排水用トラップを示す要部側断面図である。
【符号の説明】
１  排水用トラップ
２  排水管
３  排水管接続部
４  管体
５  管口
６  弁体
７  バランスウエイト
８  張出片
９  支腕
１０  支軸
１１  突条
１２  段部（間隙）
【図１】
0003610459.tif 000002
【図２】
0003610459.tif 000003
【図３】
0003610459.tif 000004
【図４】
0003610459.tif 000005
【図５】
0003610459.tif 000006
【図６】
0003610459.tif 000007